(57)【特許請求の範囲】
【請求項１】
室内等への出入口を開閉自在に閉塞する間仕切りと、該間仕切り外方の出入口部分に取付けた防虫用エア吹出し装置とからなり、間仕切り開放に先だち、該間仕切りへ防虫用エアを吹付けることで、間仕切り外面および該外面周辺に止る昆虫を外方へ排除した後、上記装置からのエア吹出しにより上記間仕切りの前外方へエアカーテンを形成し、かつ間仕切りを開放する方法の実施に適した、防虫用エア吹出し装置付き間仕切り設備において、
該エア吹出し装置は、エア吹出し口を有するとともに、
上記間仕切り外面の全体および該間仕切り周辺の出入口外周部分への昆虫排除用エア吹出し機能と、
間仕切りの前外方へのエアカーテン形成機能とを具備し、
かつ昆虫吹き飛ばし用の送風がシャッター外面へ行われた後、エア吹出し口の回転により、エアカーテン用送風を開始することができるように設けたことを特徴とする、防虫用エア吹出し装置付き間仕切り設備。
【請求項２】
室内等への出入口上面に装置ケースを付設し、該ケースの室内側と室外側とのいずれかの一方にシートシャッター巻取りドラムを、かつ他方へエア吹出し装置を、それぞれ設け、該エア吹出し装置には、シートシャッター閉塞時において該シャッターへのエア吹付け機能と、該シャッター開放時にシャッター前下方へのエアカーテン形成機能とを具備させたことを特徴とする、請求項１記載の防虫用エア吹出し装置付き間仕切り設備。
【発明の詳細な説明】
【０００１】
【発明の属する技術分野】
本発明は、建物ないし室内への昆虫侵入防止方法および防虫用エア吹出し装置付きの間仕切り設備に関する。
【０００２】
【従来の技術】
【発明が解決しようとする課題】
建物ないし室内に侵入した昆虫は、その室内等を飛びまわり、食品や医薬品関連施設においては、製品への異物混入因子として重大な問題となっている。
【０００３】
従来、昆虫の侵入を嫌う工場や倉庫等の外界への出入り口、搬出・搬入口で使用される間仕切り設備としては、高速で開閉するシャッター、高密閉度のドアなどがある。前者は開放時間の短縮、後者は閉鎖時の隙間（昆虫侵入口となる）を無くすことを目的としたものであるが、開放時の昆虫の侵入は依然として十分に阻止できず、また隙間の封鎖も不完全で閉鎖時の防虫効果も不十分なものが多い。
【０００４】
上記昆虫侵入防止手段として、エアカーテン（例えば特開平11-248220 号）を設けることも行われている。該エアカーテンは多数の方式に区分され、いずれも出入り口等の間仕切り設備の前面外側に空気の遮断層、つまりエアカーテンを作り、昆虫の侵入を阻止することを意図するが、十分な侵入阻止効果はあがっていない。その理由は、非稼働時に、エアカーテンの内側に入ってしまった昆虫には、無力であることが最大の要因となっている。しかも例えば、一般に効果が高いとされる横吹きタイプの製品では設備自体が遮蔽物となり、非稼働時には間仕切り設備の前に昆虫が停滞しやすい空気溜りを作り、停滞した昆虫はドアやシャッターの表面にしばしば静止する。
【０００５】
間仕切りの外面が、多数の飛翔性昆虫に翅を休める場所として利用されていることは表１のデータからも明らかである。
【０００６】
【表１】
0003963256.tif 000002
約60,000平方cmのシートシャッター表面に、450 平方cmの粘着トラップ３枚を設置して２日間で付着した昆虫数。2001年９月に関東地方の某工場にて調査実施。捕獲された昆虫の中でも多数を占めた双翅目や膜翅目は、食品、医薬品その他製品への異物混入頻度が特に高い昆虫群である。
【０００７】
ドアやシートシャッターなど間仕切り設備の開放時に侵入してくる昆虫の多くは、離れた所から飛来するより、間仕切りの外面に静止していたものが、ドア等が開かれたことが刺激となって飛び立ち、それが出入口から入って来る。よってこれらの昆虫をドアやシャッターが開く前に排除し、その後開放すれば、建物に侵入してくる昆虫の数を大幅に減少させることができる。
【０００８】
本発明は、間仕切り開放に先だち、まず間仕切り外面および該外面周辺にとまっている昆虫を排除した後、エアカーテン形成により間仕切り外方から飛来する昆虫の侵入を防いで間仕切りを開放し、間仕切り開放中はエアカーテンを稼働させ続けることで昆虫侵入を防止することを主目的とする。
【０００９】
【課題を解決するための手段】
第１の手段は、室内等への出入口を開閉自在に閉塞する間仕切りと、該間仕切り外方の出入口部分に取付けた防虫用エア吹出し装置とからなり、間仕切り開放に先だち、該間仕切りへ防虫用エアを吹付けることで、間仕切り外面および該外面周辺に止る昆虫を外方へ排除した後、上記装置からのエア吹出しにより上記間仕切りの前外方へエアカーテンを形成し、かつ間仕切りを開放する方法の実施に適した、防虫用エア吹出し装置付き間仕切り設備において、
該エア吹出し装置は、エア吹出し口を有するとともに、
上記間仕切り外面の全体および該間仕切り周辺の出入口外周部分への昆虫排除用エア吹出し機能と、
間仕切りの前外方へのエアカーテン形成機能とを具備し、
かつ昆虫吹き飛ばし用の送風がシャッター外面へ行われた後、エア吹出し口の回転により、エアカーテン用送風を開始することができるように設けている。
【００１３】
第２の手段として、上記第１の手段を有すると共に、室内等への出入口上面に装置ケースを付設し、該ケースの室内側と室外側とのいずれかの一方にシートシャッター巻取りドラムを、かつ他方へエア吹出し装置を、それぞれ設け、該エア吹出し装置には、シートシャッター閉塞時において該シャッターへのエア吹付け機能と、該シャッター開放時にシャッター前下方へのエアカーテン形成機能とを具備させた。
【００１４】
【発明の実施の形態】
以下図面について説明する。まず図１が示す第１実施形態について説明すると、１は建物の駆体、２は出入口、３は床面、４は室内、５は室外である。
【００１５】
出入口２の上面には装置ケース６が設けてあり、該ケースの室内側にはシャッター巻取りドラム７が、又室外方側にはスイング型エア吹出し装置が、それぞれ設けてある。
【００１６】
上記ドラム７は、シャッター、図示例ではシートシャッター８を巻取り、又繰出すことで出入口２を開閉可能に閉塞する。シートシャッター下端には砂袋、金属棒等の錘り９を付設する。尚10は、装置ケース６の上部下面からドラム７の上部外面へ沿わせて突出させた弾性のあるゴム製シート等の防虫板で、ケースとドラムとの間の隙間を通って昆虫が室内等へ入ることを防止する。
【００１７】
スイング型エア吹出し装置11a は、エア吹出し口12がモータの駆動により内向きから外向きに回転して（イ）、（ロ）、（ハ）の順に噴出されたエアがシートシャッター８を揺らし、或いは該シャッターに止った昆虫を吹飛ばした後、鉛直面に対して外向きで回転を止めて（ハ）のようにエアを吹出し、シートシャッター８開放中はエアカーテンとして機能してシャッター外方を閉塞する。
【００１８】
図２は、本発明の参考例を示す。該実施形態は、図１におけるエア吹出し装置11ａを、分離固定型11b に代えたもので、図１と同一部分については同一符号を付することで説明を省略する。
【００１９】
分離固定型のエア吹出し装置は、昆虫吹飛ばし用12a とエアカーテン形成用
12b とに分けてあり、それぞれ非可動とされている。昆虫吹き飛ばし用の送風がシャッター外面へ行われた後、エアカーテン用送風が開始され、該開始と同時に昆虫吹き飛ばし用送風は停止する。
【００２０】
上記実施形態におけるシートシャッターは、金属製のシャッター或いはドアでもよく、これ等は出入口２を開閉する間仕切設備を形成する。
【００２１】
既述実施形態にあっては、間仕切りへのエア吹付けにより昆虫を排除した後、エアカーテンを形成したが、間仕切りをシートシャッターないし金属製シャッターで形成する場合は、次のように行うことも出来る。
【００２２】
この場合は、閉鎖状態にある上記いずれかのシャッターを適宜高さまで引上げ、かつ直ちに落下させて再閉塞する。該衝撃によりシャッター外面および周辺に止まっている昆虫は外方へ逃げるから、次いでエアカーテン用送風を行えばよい。但しシャッター再閉塞の後、更にシャッター外面への昆虫吹飛ばし用送風を行い、次いでエアカーテン用送風を行ってもよい。シャッター開放は、共にエアカーテン用送風開始後に行う。
【００２３】
間仕切りをシートシャッター８で形成した場合は、次のようにしてもよい。
【００２４】
即ち、図３が示すように出入口２上面へ設けた装置ケース６の室内４側に固定型エア吹出し装置11c を、又室外５側にシャッター巻取りドラム７をそれぞれ設けておき、シートシャッター８巻上げに先だち、該シートシャッター内面側へエアカーテン用送風を吹き付けする。該吹付けによりシートシャッター８は揺れ、該シートシャッター外面に止っている昆虫は外方へ逃げる。次いでシートシャッターを巻上げすれば上記送風が斜下外方へ放出されることでエアカーテンを形成することとなる。尚シートシャッターは高速シートシャッターとすることが望ましい。
【００２５】
上記実施形態において、間仕切り閉鎖時にあっても該間仕切りに対して間欠的にエアを吹き付け、間仕切り外面ないしその近傍の昆虫を排除するとよい。これは閉鎖時といえども、ドアやシャッターには昆虫が通過し得る隙間があり、これ等隙間からの侵入を防止できる効果がある。
【００２６】
尚既述装置作動のトリガー信号は、物体の接近を探知するセンサーによる自動制御で行うことが望ましいが、手動のスイッチでも差支えない。
【００２７】
【発明の効果】
本発明は既述のようにするものであり、請求項１のようにすることで間仕切り閉鎖状態において、間仕切り外面ないしその近傍の昆虫を排除した後、間仕切り前方へエアカーテンを形成するから、既述従来例のように、エアカーテン非稼働時に該エアカーテン内側と間仕切りとの間にいた昆虫が建物等内へ侵入することがなく、特に飛来侵入性昆虫に対する阻止効果を飛躍的に上昇させることが出来る。
【００２８】
又本発明の請求項１のようにすることで、間仕切り外面の昆虫を排除した後、エアカーテンを形成することが容易である。
【００２９】
また請求項２のようにすることで、上記防虫用エア吹出し装置付き間仕切り設備を、省スペース、省コストで形成することが容易となる。
【図面の簡単な説明】
【図１】 本発明設備を簡略に示す縦断面図である。
【図２】  本発明に関連する参考例を示す縦断面図である。
【図３】 本発明に関連する他の参考例を示す縦断面図である。
【符号の説明】
１…建物駆体 ２…出入口
３…床面 ４…室内
５…室外 ６…装置ケース
７…シャッター巻取りドラム ８…シートシャッター
９…錘り 11…エア吹出し装置
12…エア吹出し口
【図１】
0003963256.tif 000003
【図２】
0003963256.tif 000004
【図３】
0003963256.tif 000005